(57)【要約】  本発明は円筒状の弁本体、その中心に設けられるギヤボックス、複数枚の扇面状の羽根及び駆動装置を備え、ギヤボックス内にギヤ機構が設けられ、駆動装置はギヤ機構を駆動することによって各中心軸の周りに羽根を同方向に回転させるように駆動し、羽根は均一に弁本体内に設けられ、ギヤ機構は同一の支持軸に配置される第１センタギヤと第２センタギヤを含み、それぞれの中心軸のギヤボックス内に挿入した一端に設けられる複数のギヤが第１センタギヤと第２センタギヤの間に設けられ、各ギヤがいずれも第１センタギヤと第２センタギヤと同時に噛み合い、弁本体内に１つまたは複数の風量計がさらに設けられ、１つまたは複数の風量計の軸線から弁本体の軸線までの距離が等しくないベンチレータ弁を提供する。該ベンチレータ弁は通風量を精度良く制御でき、安全かつ信頼性が高くて、ギヤ機構の安全性を向上し、使用上の損失を効果的に低減し、耐用年数を延長する。【選択図】図１
2019512656.tif 000002
【特許請求の範囲】
【請求項１】
円筒状の弁本体、ギヤボックス、複数枚の扇面状の羽根及び駆動装置を備え、前記弁本体の内面にシール装置が設けられ、前記弁本体の中心にギヤボックスが設けられ、前記ギヤボックス内にギヤ機構が設けられ、前記駆動装置は、前記ギヤ機構を駆動することによって、前記羽根をそれぞれの中心軸の周りに同方向に回転させるように駆動し、前記羽根は均一に弁本体内に設けられ、前記羽根の一端が前記ギヤボックスの外壁と結合するベンチレータ弁において、前記ギヤ機構は、同一の支持軸が挿通される第１センタギヤと第２センタギヤを含み、各前記中心軸の前記ギヤボックス内に挿入した一端に設けられる複数のギヤが前記第１センタギヤと前記第２センタギヤの間に設けられ、各前記ギヤがいずれも前記第１センタギヤと第２センタギヤと同時に噛み合い、
前記弁本体内に１つまたは複数の風量計がさらに設けられ、複数の前記風量計が前記弁本体内に設けられる場合、前記ベンチレータ弁の異なる回転半径における風量の大きさの測定を便利にするように、前記複数の風量計の軸線から前記弁本体の軸線までの距離が等しくないことを特徴とするベンチレータ弁。
【請求項２】
前記ベンチレータ弁は制御装置をさらに備えることを特徴とする請求項１に記載のベンチレータ弁。
【請求項３】
前記第１センタギヤと第２センタギヤは、それぞれ第１ベアリングと第２ベアリングにより前記支持軸に接続されることを特徴とする請求項１に記載のベンチレータ弁。
【請求項４】
前記支持軸が挿通される支持パイプは前記第１ベアリングと第２ベアリングの間に設けられ、前記支持パイプの両端がそれぞれ前記第１ベアリングと前記第２ベアリングに当接されることを特徴とする請求項３に記載のベンチレータ弁。
【請求項５】
複数枚の前記羽根のうちの１枚の羽根は主動羽根であり、前記駆動装置は前記主動羽根の中心軸に接続されることを特徴とする請求項１に記載のベンチレータ弁。
【請求項６】
前記ギヤはベベルギヤであることを特徴とする請求項１に記載のベンチレータ弁。
【請求項７】
前記第１センタギヤと前記第２センタギヤはいずれも円盤の構造であり、前記第１センタギヤ及び前記第２センタギヤの前記ベベルギヤと噛み合う面には、いずれも前記ベベルギヤと噛み合う歯が設けられることを特徴とする請求項３に記載のベンチレータ弁。
【請求項８】
前記弁本体の底部に１本または複数本の補強リブが設けられることを特徴とする請求項１に記載のベンチレータ弁。
【請求項９】
前記１本または複数本の補強リブの中心には、前記ギヤボックスを固定するための固定部が設けられることを特徴とする請求項８に記載のベンチレータ弁。
【請求項１０】
前記固定部に第１位置決め部が設けられ、前記ギヤボックスの上ケースまたは下ケースにおける対応する位置には、前記位置決め部に対応する第２位置決め部が設けられることを特徴とする請求項９に記載のベンチレータ弁。
【発明の詳細な説明】
【技術分野】
【０００１】
本発明はベンチレータ弁に関する。
【背景技術】
【０００２】
ベンチレータ弁は構造が簡易で、幅広く利用されている調整弁であり、ガス媒体の流量を調整または遮断する制御装置として、化学工業、建築材料、発電所などのさまざまな業界における通風、環境保全工事に適用可能である。
【発明の概要】
【発明が解決しようとする課題】
【０００３】
従来技術において、ベンチレータ弁内に、ギヤ機構で羽根の回転を制御する場合は多いが、従来技術におけるギヤの構成は簡易であり、モータの運転中に振動が発生しやすいから、振動幅が大きい場合、ギヤの構造の間には、ギヤが位置をずらすことまたは引っ掛かることが発生しやすく、ギヤに損傷をつけやすいことに加えて、モータに損傷をつけやすく、ベンチレータ弁の耐用年数が減少し、かつ騒音も大きい。
【課題を解決するための手段】
【０００４】
上記課題を解決するために、本発明は、円筒状の弁本体、ギヤボックス、複数枚の扇面状の羽根及び駆動装置を備え、弁本体の内面にシール装置が設けられ、弁本体の中心にギヤボックスが設けられ、ギヤボックス内にギヤ機構が設けられ、駆動装置は、ギヤ機構を駆動することによって羽根をそれぞれの中心軸の周りに同方向に回転させるように駆動し、羽根は均一に弁本体内に設けられ、羽根の一端がギヤボックスの外壁と結合し、ギヤ機構は同一の支持軸が挿通される第１センタギヤと第２センタギヤを含み、第１センタギヤと第２センタギヤの間には、それぞれの中心軸のギヤボックス内に挿入された一端に設けられる複数のギヤが設けられ、各ギヤがいずれも第１センタギヤと第２センタギヤと同時に噛み合い、弁本体内に１つまたは複数の風量計がさらに設けられ、１つまたは複数の風量計の軸線から弁本体の軸線までの距離が等しくない、ベンチレータ弁を提供することを目的とする。
【０００５】
該ベンチレータ弁は安全かつ信頼性が高くて、通風量を精度良く制御でき、ギヤ機構の安全性を向上し、使用上の損失を効果的に低減し、耐用年数を延長する。
【０００６】
好ましくは、ベンチレータ弁に制御装置がさらに設けられる。
【０００７】
さらに、第１センタギヤと第２センタギヤはベアリングにより（ベアリングを介して）支持軸に接続される。
【０００８】
好ましくは、支持軸が挿通された支持パイプが２つのベアリングの間に設けられる。支持パイプの両端はそれぞれ第１センタギヤと第２センタギヤに当接される。
【０００９】
さらに、複数枚の羽根のうちの１枚の羽根は主動羽根であり、駆動装置は主動羽根の中心軸に接続される。
【００１０】
好ましくは、ギヤはベベルギヤである。
【００１１】
さらに、第１センタギヤと第２センタギヤはいずれも円盤の構造であり、第１センタギヤ及び第２センタギヤのベベルギヤと噛み合う面には、いずれもベベルギヤと噛み合う歯が設けられる。
【００１２】
好ましくは、弁本体の底部に１本または複数本の補強リブが設けられる。
【００１３】
さらに、１本または複数本の補強リブの中心には、前記ギヤボックスを固定するための固定部が設けられる。
【００１４】
さらに、固定部に第１位置決め部が設けられ、ギヤボックスの上ケースまたは下ケースにおける対応する位置には、前記位置決め部に対応する第２位置決め部が設けられる。
【００１５】
以上のように、本発明に係る外形寸法が小さくて、構成が安全かつ信頼性が高くて、ギヤの構成の信頼性及び安定性を効果的に向上して、ベンチレータ弁のノイズを延長する。
【図面の簡単な説明】
【００１６】
【図１】本発明に係るベンチレータ弁の構成の模式図である。
【図２】図１の上面図である。
【図３】ベンチレータ弁の羽根が全開時の構成の模式図である。
【図４】羽根３の構造の模式図である。
【図５】ギヤボックス２及びギヤ機構の構成の模式図である。
【図６】図１における弁本体１の底部の構成の模式図である。
【発明を実施するための形態】
【００１７】
以下、特定の具体的な実施例で本発明の実施形態について説明し、当業者は本明細書に開示した内容によって、本発明の他の利点及び効果を容易に理解することができる。本発明の記載は好ましい実施例を参考して説明したが、本発明の特徴は該実施形態に限定されるものではない。逆に、実施形態を参考して説明を行う目的は、本発明の特許請求の範囲に基づいて想到可能な他の選択または変更を覆うためのものである。本発明をよりよく理解できるために、以下の説明において、多くの具体的な詳細が含まれる。本発明は、これらの詳細を使わずに実施してもよい。なお、本発明の要点を混乱させるかまたはぼかすことを避けるために、説明において、ある具体的な内容は省略される。
【００１８】
また、以下の説明に用いられる「上」、「下」、「左」、「右」、「トップ」、「底」は、本発明を制限することであると理解すべきではない。
【００１９】
図１乃至図６に示すように、本発明はベンチレータ弁（ventilation valve）を提供し、該ベンチレータ弁は円筒状の弁本体（valve body）１、ギヤボックス２、複数枚の扇面状の羽根３及び駆動装置４を含む。
【００２０】
本発明において、複数枚の羽根３が均一に弁本体１に設けられ、羽根３の中央部に中心軸３１が設けられ、羽根３が中心軸３１の周りに回転可能である。中心軸３１の一端が回転可能に弁本体１に接続され、中心軸３１の他端がギヤボックス２内に挿入され、かつギヤボックス２に対して回転可能である。羽根３の一端がギヤボックス２の外壁と結合し、すなわちベンチレータ弁が閉じられると、羽根３の一端はギヤボックス２の外壁に密着し、一定のシール性能を有する。弁本体１の内面にシール装置が設けられ、シール装置はベンチレータ弁が閉じられた後にベンチレータ弁を封止でき、ベンチレータ弁が優れたシール性能を有することを確保し、ベンチレータ弁の外部の風や気流がベンチレータ弁内に入り込むことを防止する。
【００２１】
さらに、本発明において、好ましくはシール装置として弁本体１の内面に段差部が設けられ、ベンチレータ弁が閉じられると、羽根３が段差部に適合し、ベンチレータ弁のシール性能を実現する。
【００２２】
本発明において、図１と図２に示すように、よりよくベンチレータ弁に入る風量を測定するために、弁本体１内に１つまたは複数の風量計６が設けられ、かつベンチレータ弁の異なる回転半径における風量の大きさを便利に測定するように、各風量計６の軸線から弁本体の軸線までの距離が等しくない。本発明において、好ましくは３つの風量計６でベンチレータ弁の通風量を監視し、かつ３つの風量計６の軸線から弁本体１の軸線までの距離が等しくない。さらに、よりよくベンチレータ弁の通風量を監視するために、必要に応じて弁本体１内に３つ以上の風量計６が設けられてもよい。
【００２３】
さらに、本発明において、ベンチレータ弁内に制御装置がさらに設けられ、制御装置は、風量計６の監視データの記録に用いられ、監視データを処理でき、監視データと予め設定された風量値と比較し、監視データと予め設定された風量値の差を得てから、監視データと予め設定された風量値の差に基づいてベンチレータ弁の通風量を修正し、すなわち駆動装置の駆動力を修正し、羽根３の開いた角度の大きさを調整することでベンチレータ弁の通風量を調整することによって、ベンチレータ弁の通風量を精度良く制御することと、予め設定された風量値と風量計６の監視値を利用してベンチレータ弁の開いた大きさ（開度）を修正することを実現する。
【００２４】
またさらに、制御装置はベンチレータ弁の弁本体１に設けてもよく、ベンチレータ弁が装着される装備の制御部に集積されてもよく、それによりベンチレータ弁の外形寸法をさらに減少する。
【００２５】
本発明において、弁本体１の中心にギヤボックス２が設けられ、ギヤボックス２内にギヤ機構が設けられる。ギヤボックス２はギヤ機構を保護し、ギヤ機構内への埃等の異物の侵入による損傷を抑制でき、ギヤの耐用年数を延長する。同時に、使用者が使用時にギヤに誤って傷つけられる危険を防ぐことができる。
【００２６】
さらに、本発明において、ギヤ機構は同一の支持軸２５が挿通される第１センタギヤ２３と第２センタギヤ２４を含み、支持軸２５がギヤボックス２の中心に位置し、各中心軸３１のギヤボックス２内に挿入した一端に設けられる複数のギヤが第１センタギヤ２３と第２センタギヤ２４の間に設けられ、各ギヤがいずれも第１センタギヤ２３と第２センタギヤ２４と同時に噛み合う。ギヤを第１センタギヤ２３と第２センタギヤ２４の間に設置することで、効果的にギヤ機構の構成の安定性を向上させるため、ベンチレータ弁が動作時に羽根が円滑に開閉でき、ベンチレータ弁が運転中に振動発生による危険を防ぐことができる。
【００２７】
またさらに、本発明において、ギヤボックス２の中央部に支持用の支持軸２５も設けられ、ベンチレータ弁の強度をさらに高めることができる。支持軸２５は、第１センタギヤ２３及び第２センタギヤ２４の中央部を貫通でき、かつ上ケース２１と下ケース２２は支持軸２５により接続され、ナットで固定される。
【００２８】
本発明において、第１センタギヤ２３及び第２センタギヤ２４と支持軸２５との接続はいずれもベアリングにより実現され、すなわち、第１センタギヤ２３は第１ベアリングにより支持軸２５に接続され、第２センタギヤ２４は第２ベアリングにより支持軸２５に接続され、ギヤ機構の構成の安定性をさらに向上させるために、第１ベアリングと第２ベアリングの間に支持軸２５が挿通される支持パイプをさらに設け、かつ支持パイプの両端がそれぞれ前記第１ベアリングと第２ベアリングに当接されることが好ましい。このようにギヤ機構の構成の安定性をさらに向上し、羽根３のガタツキを抑制することができる。
【００２９】
さらに、本発明において、取り付け及びメンテナンスを容易にするために、ギヤボックス２は上ケース２１と下ケース２２を含み、上ケース２１と下ケース２２が互いに係合して接続される。具体的に実施する際には、上ケース２１と下ケース２２の形状は必要に応じてあるいは空間の大きさにより変更することができる。本発明において、上ケース２１と下ケース２２はいずれもテーパー形が好ましく、これによりさらにギヤボックス２の外形寸法を減少する。
【００３０】
本発明において、ベンチレータ弁は、第１センタギヤ２３又は第２センタギヤ２４を駆動することで各中心軸３１の周りに羽根３を同方向に回転させる駆動装置４をさらに備える。またさらに、好ましくはモータをベンチレータ弁の駆動装置４として採用し、モータの正転（正回転）及び反転（逆回転）により羽根３を反時計回りまたは時計回りに回転させ、ベンチレータ弁の開閉を実現する。
【００３１】
さらに、駆動装置４により羽根３を駆動する場合、羽根３の正面３４が弁本体１の軸線に垂直な位置に回転する時、ベンチレータ弁が完全に閉じられ、隣接する２枚の羽根３の側面３３が互いに密着し、そのうちの１枚の羽根３の側面３３と羽根３の正面３４との間の夾角が９０°未満で、他の羽根３の側面３３と羽根３の正面３４との間の角度が９０°を超えて、かつベンチレータ弁が完全に閉じられる状態で、羽根３の他端がシール装置と結合する。本発明において、羽根３の側面３３は羽根３の正面３４に対して垂直ではなく、かつベンチレータ弁が完全に閉じられると、隣接する２枚の羽根３の側面３３が互いに密着することができ、隣接する２枚の羽根３の間の隙間から風や気流が入る確率を減少し、大幅に羽根３の間のシール性能を高めるとともに、ベンチレータ弁のシール性能を向上する。
【００３２】
またさらに、本発明において、羽根３の開閉をよりよく制御するために、制御装置を利用してモータを制御してもよく、例えば、モータの正転や反転を制御するあるいはモータの正転や反転のトルクを制御することによって、羽根３の開閉の大きさ、あるいは開閉の時間を制御する。
【００３３】
本発明において、弁本体１内に複数枚の羽根３が設けられ、効果的に各羽根３の外形寸法を減少し、すなわちベンチレータ弁が完全に開いた場合、羽根３の正面３４が弁本体１の軸線と平行する位置に回転する時の羽根３の高さを減少することで、効果的に弁本体１の高さを減少し、ベンチレータ弁の適用範囲がより広く、より小さい環境に応用できる。さらに、複数枚の羽根３を採用する場合、各羽根３が受ける圧力も相応的に減少し、羽根３の回転に必要なトルクも相応的に減少することで、効果的に駆動装置４の出力に要求される駆動力を低減することによって、駆動装置４が受けるトルクを減少し、大幅に駆動装置４の耐用年数を延長する。なお、弁本体１に設けられる複数枚の羽根３は、ベンチレータ弁が完全に開いた後、ベンチレータ弁に入る風や気流を分流し、通風抵抗を減少することで、通風時にベンチレータ弁の騒音を大幅に低減することができる。
【００３４】
またさらに、本発明において、各羽根３が扇面状を呈し、かつ必要に応じていかなる数量の羽根３を採用することができる。羽根３の中央部に中心軸３１が設けられ、羽根３は中心軸３１の周りに回転することができる。本発明において、羽根３の強度を高めるために、好ましくは羽根３と中心軸３１を一体化する構成を採用し、すなわち製造工程において、羽根３は中心軸３１と一体に成形され、効果的に羽根３の強度を高める。さらに、羽根３の厚みは、好ましくは３〜５ｍｍであり、またさらに、本発明において、羽根３の厚みが好ましくは３．５〜４ｍｍである。
【００３５】
またさらに、羽根３は、例えばポリエチレン材料（ＰＥ）、ポリ塩化ビニル材料（ＰＶＣ）、ポリプロピレン材料（ＰＰ）などの非金属材料を用いて構成されることが好ましいが、本発明はそれに制限されず、羽根３の材料として他の各種材料を用いてもよい。
【００３６】
本発明において、必要に応じて、駆動装置４は弁本体１の外部に設けられてもよく、ギヤボックス２内に設けてもよい。駆動装置４が弁本体１の外部に設けられる場合、複数枚の羽根３のうちの１枚を主動羽根３として、駆動装置４は主動羽根３の中心軸３１に接続される。駆動装置４が主動羽根３を駆動する際には、主動羽根３が回転することで、ギヤボックス２内における主動羽根３の中心軸３１の一端に設けられるギヤと噛み合うセンタギヤを回転させることによって、他のセンタギヤと噛み合うギヤを回転させ、最終的にすべての羽根３を主動羽根３と同方向に回転させる。
【００３７】
駆動装置４がギヤボックス２内に設けられる場合、駆動装置４は主に第１センタギヤ２３または第２センタギヤ２４を駆動して回転させ、第１センタギヤ２３または第２センタギヤ２４が回転する時に、それと噛み合う各ギヤ及び第２センタギヤ２４または第１センタギヤ２３を回転させることによって、羽根３を回転させる。
【００３８】
さらに、本発明において、羽根３の中心軸３１の端部に設けられるギヤは、好ましくはベベルギヤ３２であり、かつ第１センタギヤ２３と第２センタギヤ２４はいずれも円盤の構造であり、第１センタギヤ２３と第２センタギヤ２４のベベルギヤ３２と噛み合う面には、ベベルギヤ３２と噛み合う歯が設けられる。羽根３の中心軸３１の端部に設けられるギヤをベベルギヤ３２として設置することによって、ギヤボックス２の外形寸法を増加せずにギヤ同士の噛み合う噛み合い面積を増加し、ギヤの伝動をより効果的にすることができる。
【００３９】
ベンチレータ弁の強度を高めるために、弁本体１の底部に１本または複数本の補強リブ５がさらに設けられることができ、本発明において、弁本体１の底部に３本の補強リブ５を設け、風や気流の流量を減少することなく、弁本体１の強度を高めることが好ましい。
【００４０】
さらに、補強リブ５の強度をより高めるために、好ましくは各本の補強リブ５において補強部５１が設けられ、補強部５１は必要に応じて様々な高さに設置可能であり、本発明において、好ましくは補強部５１の高さは１３ｍｍである。
【００４１】
またさらに、本発明において、１本または複数本の補強リブ５の中心に前記ギヤボックス２を固定するための固定部５２が設けられ、本発明において、補強リブ５における補強部５１の高さに合わせて、固定部５２の高さは３ｍｍであることが好ましい。同時に、固定部５２に第１位置決め部が設けられ、ギヤボックス２の取り付けをしやすくするように、ギヤボックス２の上ケース２１または下ケース２２における対応する位置に前記位置決め部に対応する第２位置決め部が設けられる。本発明において、取り付けを容易にするように、固定部５２とギヤボックス２において片側のエッジカットの方式で互いに位置決められることが好ましい。
【００４２】
具体的に実施する際には、まずモータを起動し、モータにより主動羽根３を駆動させ、主動羽根３の中心軸３１におけるベベルギヤ３２を利用してセンタギヤを回転させ、それにより他の羽根３の中心軸３１におけるベベルギヤ３２を回転させ、最終的にすべての羽根３を同方向に回転させることによって、ベンチレータ弁を完全に開くようにさせる。通風の要求が達成されると、再びモータを起動し、モータを反転させ、モータにより主動羽根３を駆動し、主動羽根３の中心軸３１におけるベベルギヤ３２を利用してセンタギヤを逆方向に回転させ、それにより他の羽根３の中心軸３１におけるベベルギヤ３２を回転させ、最終的にすべての羽根３を同時に逆方向に回転させることによって、ベンチレータ弁を完全に閉じるようにさせる。そして、必要に応じて、モータのトルクを制御し、それにより羽根３を一定の角度に開閉させることで、通風量を制御する機能を実現してもよい。
【００４３】
またさらに、通風量を容易に調整するように、手動でベンチレータ弁の駆動を行うことも可能である。
【００４４】
以上説明したように、本発明に係わるベンチレータ弁は構成が安全かつ信頼性が高くて、かつ動作時に振動が発生なく安定に運転できるため、広く普及かつ応用されることに価値がある。
【００４５】
上記実施例は本発明の原理及び効果を例示的に説明するためのものだけであり、本発明を制限するものではない。本発明の趣旨及び要旨を逸脱しない範囲で、如何なる本技術に詳しい当業者は上記実施例を修正又は変更することができる。したがって、技術分野において通常の知識を有する者により本発明が開示した趣旨と技術的思想を逸脱しない範囲で行われたすべての等価の修正や変更は、本発明の特許請求の範囲に含まれるはずである。
【符号の説明】
【００４６】
１    弁本体
２    ギヤボックス
２１  上ケース
２２  下ケース
２３  第１センタギヤ
２４  第２センタギヤ
２５  支持軸
３    羽根
３１  中心軸
３２  ベベルギヤ
３３  側面
３４  正面
４    駆動装置
５    補強リブ
５１  補強部
５２  固定部
６    風量計
【図１】
2019512656.tif 000003
【図２】
2019512656.tif 000004
【図３】
2019512656.tif 000005
【図４】
2019512656.tif 000006
【図５】
2019512656.tif 000007
【図６】
2019512656.tif 000008
【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
円筒状の弁本体、ギヤボックス、複数枚の扇面状の羽根及び駆動装置を備え、前記弁本体の内面にシール装置が設けられ、前記弁本体の中心にギヤボックスが設けられ、前記ギヤボックス内にギヤ機構が設けられ、前記駆動装置は、前記ギヤ機構を駆動することによって、前記羽根をそれぞれの中心軸の周りに同方向に回転させるように駆動し、前記羽根は均一に弁本体内に設けられ、前記羽根の一端が前記ギヤボックスの外壁と結合するベンチレータ弁において、前記ギヤ機構は、同一の支持軸が挿通される第１センタギヤと第２センタギヤを含み、各前記中心軸の前記ギヤボックス内に挿入した一端に設けられる複数のギヤが前記第１センタギヤと前記第２センタギヤの間に設けられ、各前記ギヤがいずれも前記第１センタギヤと第２センタギヤと同時に噛み合い、
前記弁本体内に１つまたは複数の風量計がさらに設けられ、複数の前記風量計が前記弁本体内に設けられる場合、前記ベンチレータ弁の異なる回転半径における風量の大きさの測定を便利にするように、前記複数の風量計の軸線から前記弁本体の軸線までの距離が等しくないことを特徴とするベンチレータ弁。
【請求項２】
前記ベンチレータ弁は制御装置をさらに備えることを特徴とする請求項１に記載のベンチレータ弁。
【請求項３】
前記第１センタギヤと第２センタギヤは、それぞれ第１ベアリングと第２ベアリングにより前記支持軸に接続されることを特徴とする請求項１に記載のベンチレータ弁。
【請求項４】
前記支持軸が挿通される支持パイプは前記第１ベアリングと第２ベアリングの間に設けられ、前記支持パイプの両端がそれぞれ前記第１ベアリングと前記第２ベアリングに当接されることを特徴とする請求項３に記載のベンチレータ弁。
【請求項５】
複数枚の前記羽根のうちの１枚の羽根は主動羽根であり、前記駆動装置は前記主動羽根の中心軸に接続されることを特徴とする請求項１に記載のベンチレータ弁。
【請求項６】
前記ギヤはベベルギヤであることを特徴とする請求項１に記載のベンチレータ弁。
【請求項７】
前記第１センタギヤと前記第２センタギヤはいずれも円盤の構造であり、前記第１センタギヤ及び前記第２センタギヤの前記ベベルギヤと噛み合う面には、いずれも前記ベベルギヤと噛み合う歯が設けられることを特徴とする請求項６に記載のベンチレータ弁。
【請求項８】
前記弁本体の底部に１本または複数本の補強リブが設けられることを特徴とする請求項１に記載のベンチレータ弁。
【請求項９】
前記１本または複数本の補強リブの中心には、前記ギヤボックスを固定するための固定部が設けられることを特徴とする請求項８に記載のベンチレータ弁。
【請求項１０】
前記固定部に第１位置決め部が設けられ、前記ギヤボックスの上ケースまたは下ケースにおける対応する位置には、前記第１位置決め部に対応する第２位置決め部が設けられることを特徴とする請求項９に記載のベンチレータ弁。
【手続補正２】
【補正対象書類名】明細書
【補正対象項目名】０００４
【補正方法】変更
【補正の内容】
【０００４】
上記課題を解決するために、本発明は、円筒状の弁本体、ギヤボックス、複数枚の扇面状の羽根及び駆動装置を備え、弁本体の内面にシール装置が設けられ、弁本体の中心にギヤボックスが設けられ、ギヤボックス内にギヤ機構が設けられ、駆動装置は、ギヤ機構を駆動することによって羽根をそれぞれの中心軸の周りに同方向に回転させるように駆動し、羽根は均一に弁本体内に設けられ、羽根の一端がギヤボックスの外壁と結合し、ギヤ機構は同一の支持軸が挿通される第１センタギヤと第２センタギヤを含み、第１センタギヤと第２センタギヤの間には、それぞれの中心軸のギヤボックス内に挿入された一端に設けられる複数のギヤが設けられ、各ギヤがいずれも第１センタギヤと第２センタギヤと同時に噛み合い、弁本体内に１つまたは複数の風量計がさらに設けられ、ベンチレータ弁の異なる回転半径における風量の大きさの測定を便利にするように、１つまたは複数の風量計の軸線から弁本体の軸線までの距離が等しくない、ベンチレータ弁を提供することを目的とする。
【手続補正３】
【補正対象書類名】明細書
【補正対象項目名】００１４
【補正方法】変更
【補正の内容】
【００１４】
さらに、固定部に第１位置決め部が設けられ、ギヤボックスの上ケースまたは下ケースにおける対応する位置には、前記第１位置決め部に対応する第２位置決め部が設けられる。
【手続補正４】
【補正対象書類名】明細書
【補正対象項目名】００１５
【補正方法】変更
【補正の内容】
【００１５】
以上のように、本発明に係る外形寸法が小さくて、構成が安全かつ信頼性が高くて、ギヤの構成の信頼性及び安定性を効果的に向上して、ベンチレータ弁の耐用年数を延長する。
【手続補正５】
【補正対象書類名】明細書
【補正対象項目名】００２２
【補正方法】変更
【補正の内容】
【００２２】
本発明において、図１と図２に示すように、よりよくベンチレータ弁に入る風量を測定するために、弁本体１内に１つまたは複数の風量計６が設けられ、かつベンチレータ弁の異なる回転半径における風量の大きさを便利に測定するように、各風量計６の軸線から弁本体１の軸線までの距離が等しくない。本発明において、好ましくは３つの風量計６でベンチレータ弁の通風量を監視し、かつ３つの風量計６の軸線から弁本体１の軸線までの距離が等しくない。さらに、よりよくベンチレータ弁の通風量を監視するために、必要に応じて弁本体１内に３つ以上の風量計６が設けられてもよい。
【手続補正６】
【補正対象書類名】明細書
【補正対象項目名】００４１
【補正方法】変更
【補正の内容】
【００４１】
またさらに、本発明において、１本または複数本の補強リブ５の中心に前記ギヤボックス２を固定するための固定部５２が設けられ、本発明において、補強リブ５における補強部５１の高さに合わせて、固定部５２の高さは３ｍｍであることが好ましい。同時に、固定部５２に第１位置決め部が設けられ、ギヤボックス２の取り付けをしやすくするように、ギヤボックス２の上ケース２１または下ケース２２における対応する位置に前記第１位置決め部に対応する第２位置決め部が設けられる。本発明において、取り付けを容易にするように、固定部５２とギヤボックス２において片側のエッジカットの方式で互いに位置決められることが好ましい。
【手続補正７】
【補正対象書類名】明細書
【補正対象項目名】００４５
【補正方法】変更
【補正の内容】
【００４５】
上記実施例は本発明の原理及び効果を例示的に説明するためのものだけであり、本発明を制限するものではない。本発明の趣旨及び要旨を逸脱しない範囲で、如何なる本技術に詳しい当業者は上記実施例を修正又は変更することができる。したがって、技術分野において通常の知識を有する者により本発明が開示した趣旨と技術的思想を逸脱しない範囲で行われたすべての等価の修正や変更は、本発明の特許請求の範囲に含まれるはずである。
なお、本発明は、以下の態様を含む。
〔態様１〕
円筒状の弁本体、ギヤボックス、複数枚の扇面状の羽根及び駆動装置を備え、前記弁本体の内面にシール装置が設けられ、前記弁本体の中心にギヤボックスが設けられ、前記ギヤボックス内にギヤ機構が設けられ、前記駆動装置は、前記ギヤ機構を駆動することによって、前記羽根をそれぞれの中心軸の周りに同方向に回転させるように駆動し、前記羽根は均一に弁本体内に設けられ、前記羽根の一端が前記ギヤボックスの外壁と結合するベンチレータ弁において、前記ギヤ機構は、同一の支持軸が挿通される第１センタギヤと第２センタギヤを含み、各前記中心軸の前記ギヤボックス内に挿入した一端に設けられる複数のギヤが前記第１センタギヤと前記第２センタギヤの間に設けられ、各前記ギヤがいずれも前記第１センタギヤと第２センタギヤと同時に噛み合い、
前記弁本体内に１つまたは複数の風量計がさらに設けられ、複数の前記風量計が前記弁本体内に設けられる場合、前記ベンチレータ弁の異なる回転半径における風量の大きさの測定を便利にするように、前記複数の風量計の軸線から前記弁本体の軸線までの距離が等しくないことを特徴とするベンチレータ弁。
〔態様２〕
前記ベンチレータ弁は制御装置をさらに備えることを特徴とする態様１に記載のベンチレータ弁。
〔態様３〕
前記第１センタギヤと第２センタギヤは、それぞれ第１ベアリングと第２ベアリングにより前記支持軸に接続されることを特徴とする態様１に記載のベンチレータ弁。
〔態様４〕
前記支持軸が挿通される支持パイプは前記第１ベアリングと第２ベアリングの間に設けられ、前記支持パイプの両端がそれぞれ前記第１ベアリングと前記第２ベアリングに当接されることを特徴とする態様３に記載のベンチレータ弁。
〔態様５〕
複数枚の前記羽根のうちの１枚の羽根は主動羽根であり、前記駆動装置は前記主動羽根の中心軸に接続されることを特徴とする態様１に記載のベンチレータ弁。
〔態様６〕
前記ギヤはベベルギヤであることを特徴とする態様１に記載のベンチレータ弁。
〔態様７〕
前記第１センタギヤと前記第２センタギヤはいずれも円盤の構造であり、前記第１センタギヤ及び前記第２センタギヤの前記ベベルギヤと噛み合う面には、いずれも前記ベベルギヤと噛み合う歯が設けられることを特徴とする態様６に記載のベンチレータ弁。
〔態様８〕
前記弁本体の底部に１本または複数本の補強リブが設けられることを特徴とする態様１に記載のベンチレータ弁。
〔態様９〕
前記１本または複数本の補強リブの中心には、前記ギヤボックスを固定するための固定部が設けられることを特徴とする態様８に記載のベンチレータ弁。
〔態様１０〕
前記固定部に第１位置決め部が設けられ、前記ギヤボックスの上ケースまたは下ケースにおける対応する位置には、前記第１位置決め部に対応する第２位置決め部が設けられることを特徴とする態様９に記載のベンチレータ弁。
【国際調査報告】
2019512656.tif 000009
2019512656.tif 000010
2019512656.tif 000011
2019512656.tif 000012